(57)【要約】【課題】書き込みエラーが連続したためバッファメモリからデータが溢れてしまった場合であっても、少なくとも記録済みのデータに関しては再生可能とする。【解決手段】記録再生装置１０は、ディスク１にデータの書き込みを行うドライブ部２１と、オーディオデータに対する符号化を行うオーディオ処理部２２と、オーディオ処理部２２からドライブ部２１へ転送されるオーディオデータを一時的に格納するバッファメモリ２３と、管理情報を格納する管理情報メモリ２４と、システムコントローラ２５とを備えている。記録再生装置１０では、録音中に、ディスク１に対して書き込みエラーが発生し、バッファメモリ２３に空き領域が無くなった場合には、バッファメモリ２３に対するオーディオデータの格納を停止する。【選択図】図２
2006004526.tif 000002
【特許請求の範囲】
【請求項１】
所定のフォーマットで符号化されたオーディオデータが記録されるとともに、記録済みオーディオデータの管理情報であるシステム情報が記録された記録媒体に対して、オーディオ信号の記録を行うオーディオ記録装置において、
オーディオ信号が入力され、入力されたオーディオ信号を上記所定のフォーマットに符号化する符号化手段と、
上記符号化手段により符号化されたオーディオデータを一時的に格納するバッファメモリと、
上記記録媒体に対してデータの書き込みを行う書き込み手段と、
上記符号化手段、バッファメモリ及び書き込み手段の制御を行う制御手段とを備え、
上記制御手段は、オーディオ信号の実時間記録を行う場合には、入力されたオーディオ信号を符号化し、符号化されたオーディオデータを上記バッファメモリに格納し、上記バッファメモリに格納されているオーディオデータを入力順にブロック単位で、上位アドレスから順番に未記録領域が発生しないように上記記録媒体に書き込み、
さらに、上記制御手段は、上記オーディオ信号の実時間記録中に、記録媒体に対して書き込みエラーが発生し、上記バッファメモリに空き領域が無くなった場合には、上記バッファメモリに対するオーディオデータの格納を停止して、上記オーディオ信号の実時間記録動作をポーズ状態とすること
を特徴とするオーディオ記録装置。
【請求項２】
上記制御手段は、上記ポーズ状態が所定時間以上継続した場合には、上記オーディオ信号の実時間記録動作を停止すること
を特徴とする請求項１記載のオーディオ記録装置。
【請求項３】
上記制御手段は、上記ポーズ状態が所定時間以上継続した場合には、上記書き込みエラーが発生したアドレス以降のアドレスから、上記バッファメモリに格納されたオーディオデータの書き込みを行うこと
を特徴とする請求項２記載のオーディオ記録装置。
【請求項４】
上記制御手段は、上記書き込みエラーが発生したアドレスから、上記書き込みを開始したアドレスまでの領域に、ダミーのファイルが記録されたとみなされるように、上記記録媒体に記録されているデータを管理する管理情報を生成すること
を特徴とする請求項３記載のオーディオ記録装置。
【請求項５】
所定のフォーマットで符号化されたオーディオデータが記録されるとともに、記録済みオーディオデータの管理情報であるシステム情報が記録された記録媒体に対して、オーディオ信号の記録を行うオーディオ記録装置において、
オーディオ信号が入力され、入力されたオーディオ信号を上記所定のフォーマットに符号化する符号化手段と、
上記符号化手段により符号化されたオーディオデータを一時的に格納するバッファメモリと、
上記記録媒体に対してデータの書き込みを行う書き込み手段と、
上記符号化手段、バッファメモリ及び書き込み手段の制御を行う制御手段とを備え、
上記制御手段は、オーディオ信号の実時間記録を行う場合には、入力されたオーディオ信号を符号化し、符号化されたオーディオデータを上記バッファメモリに格納し、上記バッファメモリに格納されているオーディオデータを入力順にブロック単位で、上位アドレスから順番に未記録領域が発生しないように上記記録媒体に書き込み、
さらに、上記制御手段は、上記オーディオ信号の実時間記録中に、記録媒体に対して書き込みエラーが発生し、上記バッファメモリに空き領域が無くなった場合には、書き込みエラーが発生したアドレス以降のアドレスから、上記バッファメモリに格納されたオーディオデータの書き込みを行うこと
を特徴とするオーディオ記録装置。
【請求項６】
上記制御手段は、上記書き込みエラーが発生したアドレスから、上記書き込みを開始したアドレスまでの領域に、ダミーのファイルが記録されたとみなされるように、上記記録媒体に記録されているデータを管理する管理情報を生成すること
を特徴とする請求項５記載のオーディオ記録装置。
【発明の詳細な説明】
【技術分野】
【０００１】
本発明は、例えば光磁気ディスク等のリムーバブルメディアに対して、オーディオ信号の記録を行うオーディオ記録装置に関するものである。
【背景技術】
【０００２】
ディジタルオーディオデータを記録するためのリムーバブルな記録媒体として、カートリッジに収納された直径６４ｍｍの光磁気ディスクであるミニディスク（ＭＤ）が広く普及している。
【０００３】
ＭＤの記録再生装置では、一般に、オーディオデータをＦＩＦＯ（First In First Out）機能として働くバッファメモリに一旦格納し、このバッファメモリからＭＤに記録を行うようにしている。このため、例えば、振動等による書き込みエラーがあった場合であっても、音とびが発生せずに連続記録を行うことができる。
【０００４】
ところで、バッファメモリには、容量の上限がある。そのため、書き込みエラーが長時間連続して発生してしまった場合には、オーディオデータがバッファメモリから溢れてしまう。
【０００５】
このような場合、従来のＭＤの記録再生装置では、溢れ出してしまったオーディオデータについては、管理データ上で記録済みであるとみなし、実際にはその部分のオーディオデータは記録せずに破棄する。このため、従来のＭＤの記録再生装置では、書き込みエラーが復帰した場合には、少なくともその復帰時点からは記録を行うことができる。
【０００６】
【非特許文献１】ソニー株式会社ホームページ  ＨｉＭＤ  、［平成１６年６月１８日検索］、インターネット＜URL : http://www.sony.co.jp/Products/Hi-MD/＞
【発明の開示】
【発明が解決しようとする課題】
【０００７】
本出願人は、現行のＭＤを発展させたＨｉＭＤと呼ばれるディジタルオーディオデータを記録するためのリムーバブルな記録媒体を新たに提案した（例えば非特許文献１参照。）。
【０００８】
ＨｉＭＤは、カートリッジに収納された直径６４ｍｍの光磁気ディスクであり、外形上ＭＤと互換性を有しているが、、ＭＤよりも大容量化を実現している。また、ＨｉＭＤは、パーソナルコンピュータとの親和性を向上させ、コンピュータデータファイルや画像ファイルなどのデータの保存も可能としている。さらに、ＨｉＭＤでは、オーディオデータを暗号化して記録しており、セキュアな記録メディアとなっている。
【０００９】
ところが、ＨｉＭＤでは、上述したように、オーディオデータの暗号化等を行っている。そのため、従来のＭＤの記録再生装置のように、書き込みエラーにより途中のデータを破棄してしまった場合、その破棄した部分に関連するデータまで暗号解除ができなくなり、被害が大きくなる。
【００１０】
従って、ＨｉＭＤの記録再生装置では、書き込みエラーが連続したためバッファメモリからデータが溢れてしまった場合、その溢れたデータを破棄することができない。
【００１１】
本発明は、以上のような問題を解決するものであり、書き込みエラーが連続したためバッファメモリからデータが溢れてしまった場合であっても、少なくとも記録済みのデータに関しては再生を可能としたオーディオ記録装置を提供することを目的とする。
【課題を解決するための手段】
【００１２】
本発明に係るオーディオ記録装置は、所定のフォーマットで符号化されたオーディオデータが記録されるとともに、記録済みオーディオデータの管理情報であるシステム情報が記録された記録媒体に対して、オーディオ信号の記録を行うオーディオ記録装置において、  オーディオ信号が入力され、入力されたオーディオ信号を上記所定のフォーマットに符号化する符号化手段と、上記符号化手段により符号化されたオーディオデータを一時的に格納するバッファメモリと、上記記録媒体に対してデータの書き込みを行う書き込み手段と、上記符号化手段、バッファメモリ及び書き込み手段の制御を行う制御手段とを備え、上記制御手段は、オーディオ信号の実時間記録を行う場合には、入力されたオーディオ信号を符号化し、符号化されたオーディオデータを上記バッファメモリに格納し、上記バッファメモリに格納されているオーディオデータを入力順にブロック単位で、上位アドレスから順番に未記録領域が発生しないように上記記録媒体に書き込み、さらに、上記制御手段は、上記オーディオ信号の実時間記録中に、記録媒体に対して書き込みエラーが発生し、上記バッファメモリに空き領域が無くなった場合には、上記バッファメモリに対するオーディオデータの格納を停止して、上記オーディオ信号の実時間記録動作をポーズ状態とすることを特徴とする。
【００１３】
本発明に係るオーディオ記録装置は、所定のフォーマットで符号化されたオーディオデータが記録されるとともに、記録済みオーディオデータの管理情報であるシステム情報が記録された記録媒体に対して、オーディオ信号の記録を行うオーディオ記録装置において、オーディオ信号が入力され、入力されたオーディオ信号を上記所定のフォーマットに符号化する符号化手段と、上記符号化手段により符号化されたオーディオデータを一時的に格納するバッファメモリと、上記記録媒体に対してデータの書き込みを行う書き込み手段と、上記符号化手段、バッファメモリ及び書き込み手段の制御を行う制御手段とを備え、上記制御手段は、オーディオ信号の実時間記録を行う場合には、入力されたオーディオ信号を符号化し、符号化されたオーディオデータを上記バッファメモリに格納し、上記バッファメモリに格納されているオーディオデータを入力順にブロック単位で、上位アドレスから順番に未記録領域が発生しないように上記記録媒体に書き込み、さらに、上記制御手段は、上記オーディオ信号の実時間記録中に、記録媒体に対して書き込みエラーが発生し、上記バッファメモリに空き領域が無くなった場合には、書き込みエラーが発生したアドレス以降のアドレスから、上記バッファメモリに格納されたオーディオデータの書き込みを行うことを特徴とする。
【発明の効果】
【００１４】
本発明に係るオーディオ記録装置では、オーディオ信号の実時間記録中に、記録媒体に対して書き込みエラーが発生し、バッファメモリに空き領域が無くなった場合には、バッファメモリに対するオーディオデータの格納を停止して、オーディオ信号の実時間記録動作をポーズ状態とする。
【００１５】
また、本発明に係るオーディオ記録装置では、オーディオ信号の実時間記録中に、記録媒体に対して書き込みエラーが発生し、バッファメモリに空き領域が無くなった場合には、書き込みエラーが発生したアドレス以降のアドレスから、バッファメモリに格納されたオーディオデータの書き込みを行う。
【００１６】
このことにより本発明に係るオーディオ記録装置では、書き込みエラーが連続したためバッファメモリからデータが溢れてしまった場合であっても、少なくとも記録済みのデータに関しては再生を可能とすることができる。
【発明を実施するための最良の形態】
【００１７】
本発明が適用されたディスク記録再生装置について説明をする。
【００１８】
図１に、本発明が適用されたディスク記録再生装置１０の外観図を示す。
【００１９】
ディスク記録再生装置１０は、図１に示すように、カートリッジに収納された直径約６．４センチの光磁気ディスク（以下、単にディスク１という。）に対して、データの記録及び再生を行う装置である。ディスク１は、ＨｉＭＤ（非特許文献１参照。）と呼ばれるフォーマットが適用された光磁気ディスクである。
【００２０】
ディスク１の仕様について簡単に説明をする。
【００２１】
ディスク１の仕様は、記録トラックのピッチが１．２５μｍ、ピット長が０．１６μｍ／ｂｉｔ、レーザ波長λが７８０ｎｍ、対物レンズの開口数ＮＡが０．４５、ディスク記録方式がグルーブ記録及び磁壁移動検出（ＤＷＤＤ）方式、アドレス方式がシングルスパイラルのグルーブに対して所定の周波数（２２．０５ｋＨｚ）で両側ウォブルを施してその周波数に絶対アドレス（ＡＤＩＰ）をＦＭ変調する方式、変調方式がＲＬＬ１−７ＰＰ（Run Length Limited 1-7 Parity Preserve /Prohibit rmtr）方式、誤り訂正方式がＢＩＳ（Burst Indicator Subcode）付きのＲＳ−ＬＤＣ（Read-Solomon Long Distance Code）、インターリーブ方式がブロック完結方式、冗長度が２０．５０％、データ検出方式がＰＲ（１，−１）ＭＬによるビタビ復号方式、ディスク駆動方式がＣＬＶ（Constant Linear Velocity）方式、線速度が２．０ｍ／ｓ、データレートが９．８ＭＢ／ｓ、記録容量が１ＧＢ、最小書き込み単位が１６セクタ、となっている。このディスク１は、記録トラックに沿って内周側から外周側に向かいデータが記録されていく。このようなディスク１は、磁気超解像技術を使うことにより、線密度方向の記録容量を向上するようにしている。
【００２２】
ディスク記録再生装置１０には、録音を開始させる録音開始ボタン１１、録音中に録音動作を一時停止させるポーズ（一時停止）ボタン１２、オーディオデータのトラックを区切るためのトラックマークボタン１３、再生を開始させる再生ボタン１４、記録動作や再生動作等を停止させるストップボタン１５、ジョグダイヤル（回転押下スイッチ）等の各種操作スイッチ群と、例えばＬＣＤ(Liquid Crystal Display)からなる表示部１６と、イヤホンや各種操作スイッチ等が設けられたリモートコントローラ１７とが設けられている。
【００２３】
また、ディスク記録再生装置１０には、外部音声を集音して電気信号に変換するマイクロホンが接続されるマイクロホン端子１８と、オーディオケーブルが接続され、当該オーディオケーブル介して外部のオーディオ再生機器からオーディオ信号が入力されるライン入力端子１９とを備えている。
【００２４】
このようなディスク記録再生装置１０は、持ち運び可能な小型機器であり、その筐体は人間が片手で持てる程度の大きさである。ディスク記録再生装置１０には、ディスク１の装着及び取り出しが可能とされる。ディスク記録再生装置１０は、ディスク１を内部に装着した状態でデータの記録及び再生を行う。ディスク記録再生装置１０は、それ自体単体で、音楽及び音声等（以下、単にオーディオ信号という。）の記録及び再生を行うことが可能である。
【００２５】
つぎに、ディスク記録再生装置１０の内部構成について説明をする。
【００２６】
図２にディスク記録再生装置１０のブロック構成図を示す。
【００２７】
ディスク記録再生装置１０は、ディスク１に対してデータの書き込み及び読み出しを行うドライブ部２１と、オーディオデータに対する符号化や暗号化及び復号や暗号解除等のデータ処理を行うオーディオ処理部２２と、バッファメモリ２３と、管理情報メモリ２４と、当該装置の中央制御を行うシステムコントローラ２５とを備えている。
【００２８】
ドライブ部２１には、装着及び取り外しが自在なカートリッジに収納されたディスク１が装着される。ドライブ部２１は、装着されたディスク１に対するデータの書き込み及び読み出しを行う。
【００２９】
オーディオ処理部２２は、録音時には、入力されたオーディオ信号に対して例えばＡＴＲＡＣ３方式等の圧縮符号化処理を行うとともに著作権管理等のために暗号化処理を行って、オーディオデータを出力する。なお、録音とは、マイクロホンやオーディオケーブルを用いて、オーディオ信号を実時間記録する処理のことである。また、オーディオ処理部２２は、再生時には、入力されたオーディオデータに対して、暗号解除処理を行うとともに例えばＡＴＲＡＣ３方式等の伸張復号処理を行い、オーディオ信号を出力する。
【００３０】
具体的には、記録時には、オーディオ処理部２２は、マイクロホン入力端子１８又はライン入力端子１９からオーディオ信号が入力される。オーディオ処理部２２は、入力されたオーディオ信号がアナログ信号であれば、Ａ／Ｄ変換を行ってデジタル化する。オーディオ処理部２２は、録音時には、入力されたオーディオ信号を例えばＡＴＲＡＣ３方式の圧縮符号化処理を行うとともに、著作権管理等のために暗号化処理を行い、符号化されたオーディオデータを生成する。オーディオ処理部２２により符号化されたオーディオデータは、バッファメモリ２３に格納される。
【００３１】
オーディオ処理部２２は、再生時には、オーディオデータがバッファメモリ２３から入力される。オーディオ処理部２２は、入力されたオーディオデータに対して暗号解除処理を行い、暗号解除がされたオーディオデータに対して例えばＡＴＲＡＣ３方式の伸張復号処理を行う。オーディオ処理部２２は、必要に応じて、復号されたオーディオデータをＤ／Ａ変換し、イヤホン又はライン出力端子等から出力する。
【００３２】
バッファメモリ２３は、ドライブ部２１によってディスク１のユーザエリアから読み出されたオーディオデータ、及び、ディスク１に対して書き込むオーディオデータを、一時的に記憶するＦＩＦＯ（First In First Out）型のバッファ回路である。すなわち、バッファメモリ２３は、記録時には、オーディオ処理部２２から出力されたオーディオデータを一時的に格納し、入力順序どおりにドライブ部２１に読み出されて、当該順序どおりにディスク１に書き込まれる。また、バッファメモリ２３は、再生時には、ドライブ２１により読み出されたオーディオデータを一時的に格納し、読み出し順序どおりにオーディオ信号処理部２２に転送する。
【００３３】
管理情報メモリ２４は、ドライブ部２１によってディスク１から読み出されたディスクＴＯＣ（Table of Contents）を含む管理情報等を記憶する。
【００３４】
システムコントローラ２５は、ディスク記録再生装置１０内の全体の制御を行う。
【００３５】
例えば、システムコントローラ２５は、各種操作部からの操作入力を受け付けたり、表示部１６にＧＵＩを表示したりする。
【００３６】
以下、ディスク記録再生装置１０の動作について説明をする。
【００３７】
まず、ディスク１がドライブ部２１に装着された際の動作について説明をする。
【００３８】
ディスク１がドライブ部２１に装着されると、システムコントローラ２５は、ドライブ部２１を制御して、ディスク１の所定の領域に記録されているＴＯＣやＦＡＴ等の管理情報を読み出す。読み出された管理情報は、管理情報メモリ２４に格納される。
【００３９】
システムコントローラ２５は、以後、管理情報メモリ２４に格納されているＴＯＣやＦＡＴ等の管理情報を参照して、ディスク１に対するデータ書き込み制御を行ったり、ディスク１からのデータ読み出し制御を行ったりする。また、システムコントローラ２５は、ディスク１にオーディオデータが記録されると、それに応じて管理情報メモリ２４に格納されているＴＯＣやＦＡＴ等の管理情報の更新も行う。また、システムコントローラ２５は、ディスク１に記録されているオーディオデータのタイトル等のメタデータ等が変更された場合にも、管理情報メモリ２４に格納されているＴＯＣやＦＡＴ等の管理情報の更新を行う。
【００４０】
システムコントローラ２５は、ドライブ部２１からディスク１が取り外される前に（つまり、イジェクト操作がされ、ディスク１を排出する前に）、管理情報メモリ２４に格納されている管理情報を、ディスク１に書き戻す。もっとも、管理情報メモリ２４に格納されている管理情報のディスク１に書き戻す動作は、イジェクト時に限らず、例えば録音終了時等の他、何時に行っても良い。
【００４１】
つぎに、マイクロフォンやオーディオケーブルを介して入力されたオーディオ信号を実時間記録する時（すなわち、録音時）のディスク記録再生装置１０の動作について説明をする。
【００４２】
録音開始ボタン１１が押されると、マイクロホン端子１８又はライン入力端子１９を介して入力されたオーディオ信号が、オーディオ処理部２２に供給される。オーディオ処理部２２は、入力されたオーディオ信号をＡＴＲＡＣ３方式で圧縮符号化するとともに所定の暗号化方式で暗号化して、オーディオデータを生成する。生成されたオーディオデータは、オーディオ処理部２２からバッファメモリ２３に供給される。バッファメモリ２３は、入力されたオーディオデータを一時的に蓄積する。ドライブ部２１は、バッファメモリ２３にオーディオデータが蓄積されると、ブロック単位毎にオーディオデータを抜き出し、ディスク１に記録をしていく。そして、ディスク記録再生装置１０は、停止ボタン１５が押されると、録音動作を停止する。
【００４３】
ディスク記録再生装置１０では、以上のようにバッファメモリ２３を緩衝用の中間メモリとして用いて、ディスク１にオーディオデータの書き込みを行う。従って、例えば、振動等により書き込みエラーが生じても、途中途切れずに連続記録を行うことができる。
【００４４】
ここで、バッファメモリ２３には容量の上限がある。そのため、書き込みエラーが長時間連続して発生してしまった場合には、オーディオデータがバッファメモリ２３から溢れてしまう。ディスク記録再生装置１０では、このような場合であっても最適な処理がされるように、システムコントローラ２５は特有の制御を行っている。
【００４５】
以下、録音時のシステムコントローラ２５による制御内容について、図３及び図４のフローチャートを参照して説明をする。
【００４６】
なお、システムコントローラ２５の内部又は外部には、クロックをカウントして１６秒間を測定するカウンタ（以後、１６秒カウンタという。）が設けられている。１６秒カウンタは、動作開始命令が発行されてから１６秒間が経過すると、フラグを出力する。システムコントロー２５は、この１６秒カウンタを用いて以下の処理を行っている。
【００４７】
録音ボタン１１が押されると、システムコントローラ２５は、ディスク１に空き容量があるか否かを判断する（ステップＳ１１）。空き容量が無ければ、システムコントローラ２５は、例えば、「ＤＩＳＣ  ＦＵＬＬ」といったようなディスクが満杯である旨の表示を表示部１６上に行い、処理を終了する。
【００４８】
空き容量があった場合、システムコントローラ２５は、ディスク１の空き容量がどれだけあるかチェックをするとともに、バッファメモリ２３の書き込み開始閾値を設定する（ステップＳ１２）。
【００４９】
続いて、システムコントローラ２５は、オーディオ信号の取り込みを開始する（ステップＳ１３）。すなわち、オーディオ処理部２２に音声等の符号化及び暗号化を開始させ、バッファメモリ２３に対してオーディオデータの蓄積を開始させる。
【００５０】
続いて、システムコントローラ２５は、バッファメモリ２３のデータ蓄積量が、ステップＳ１２で設定した書き込み開始閾値を超えたか否かを判断する（ステップＳ１４）。システムコントローラ２５は、バッファメモリ２３のデータ蓄積量が書き込み開始閾値を超えるまで、このステップＳ１４で処理を待機する。
【００５１】
続いて、バッファメモリ２３のデータ蓄積量が書き込み開始閾値を超えると、システムコントローラ２５は、管理情報メモリ２４に格納されている管理情報を参照して、ディスク１の書き込み位置を取得する（ステップＳ１５）。
【００５２】
続いて、システムコントローラ２５は、ドライブ部２１に対して、オーディオデータの書き込み命令と、ステップＳ１５で取得した書き込み位置を与える。それとともに、システムコントローラ２５は、１６秒カウンタの動作を開始する。ドライブ部２１は、システムコントローラ２５から書き込み命令が与えられると、所定量のオーディオデータをバッファメモリ２３から抜き出し、抜き出した所定量のオーディオデータをシステムコントローラ２５により指定された書き込み位置から書き込む。なお、ドライブ部２１は、バッファメモリ２３内に蓄積されている一番過去のデータ（すなわち、バッファメモリ２３内に一番先に蓄積されたオーディオデータ）から順番に抜き出す。
【００５３】
続いて、システムコントローラ２５は、オーディオデータの書き込みが終了したか否か（ステップＳ１７）、１６秒カウンタからフラグが発生したか否か（すなわち、書き込みを開始してから１６秒が経過したか否か（ステップＳ１８））、バッファメモリ２３の上限閾値を超えたか否か（ステップＳ１９）を、並列的に判断する。
【００５４】
オーディオデータの書き込みが終了せず、且つ、バッファメモリ２３の上限閾値を超えておらず、且つ、１６秒カウンタからフラグが発生していない（つまり、書き込み開始から１６秒が経過していない）場合には、システムコントローラ２５は、以上のステップＳ１７、Ｓ１８及びＳ１９の判断を繰り返す。
【００５５】
オーディオデータの書き込みが終了した場合（ステップＳ１７のＹＥＳ）には、システムコントローラ２５は、１６秒カウンタを０にリセットするとともに１６秒カウンタを停止して（ステップＳ２０）、ステップＳ１７〜Ｓ１９の判断ループを抜けて、ステップＳ１４に戻る。そして、システムコントローラ２５は、ステップＳ１４から処理を繰り返す。
【００５６】
１６秒カウンタからフラグが発生した場合（ステップＳ１８のＹＥＳ）、すなわち、書き込みを開始してから１６秒が経過した場合、システムコントローラ２５は、管理情報メモリ２４に格納されている管理情報を参照して現在の書き込み位置より後のアドレスの新たな書き込み位置を取得する（ステップＳ２１）。続いて、システムコントローラ２５は、現在の書き込み位置から新たな書き込み位置までの間に、コンピュータファイルが記録されているように、管理情報内のＦＡＴの書き換えを行う（ステップＳ２２）。続いて、システムコントローラ２５は、ドライブ部２１に対して、オーディオデータの書き込み命令と、ステップＳ２１で取得した書き込み位置を与える。それとともに、システムコントローラ２５は、１６秒カウンタを０にリセットしてから、１６秒カウンタの動作を開始する（ステップＳ２３）。システムコントローラ２５は、ステップＳ２２の処理を終えると、再度、ステップＳ１７〜Ｓ１９の判断ループに戻る。
【００５７】
このように、ディスク１に書き込みを行えなかった場合、現在の書き込み位置から新たな書き込み位置までの間をあたかもコンピュータファイルが記録されているように、ダミーのファイル情報を形成することによって、オーディオデータが連続したアドレスに記録されているように管理情報を生成することができる。
【００５８】
バッファメモリ２３の上限閾値を超えた場合（ステップＳ１９のＹＥＳ）には、システムコントローラ２５は、録音動作を一時停止（ポーズ）状態とし、オーディオ処理部２からバッファメモリ２３へのオーディオデータの転送を停止する（ステップＳ２４）。続いて、システムコントローラ２５は、書き込みが完了したか（ステップＳ２５）又は１６秒カウンタからフラグが発生したか（つまり、書き込み開始から１６秒が経過したか）（ステップＳ２６）を判断する。
【００５９】
書き込みが完了した場合（ステップＳ２５のＹＥＳ）には、システムコントローラ２５は、１６秒カウンタを０にリセットするとともに１６秒カウンタを停止して（ステップＳ２７）、ステップＳ１４に戻る。
【００６０】
１６秒カウンタからフラグが発生した場合（ステップＳ２６のＹＥＳ）、すなわち、書き込みを開始してから１６秒が経過した場合、システムコントローラ２５は、例えば、「ＲＥＣ  ＥＲＲ」といったような書き込み異常が発生した旨の表示を表示部１６上に行い、処理を終了する。
【００６１】
以上のように、ディスク記録再生装置１０では、オーディオ信号の録音中に、ディスク１に対して書き込みエラーが発生したことによってバッファメモリ２３に空き領域が無くなった場合には、バッファメモリ２３に対するオーディオデータの格納を停止して、ポーズ状態とする。また、ディスク記録再生装置１０では、オーディオ信号の録音中に、ディスク１に対して書き込みエラーが発生したことによってバッファメモリ２３に空き領域が無くなった場合には、書き込みエラーが発生したアドレス以降の他のアドレスから、バッファメモリ２３に格納されたオーディオデータの書き込みを行う。
【００６２】
このことによりディスク記録再生装置１０では、書き込みエラーが連続したためバッファメモリ２３からデータが溢れてしまった場合であっても、少なくとも記録済みのデータに関しては再生を可能とすることができる。
【図面の簡単な説明】
【００６３】
【図１】本発明が適用されたディスク記録再生装置の外観図である。
【図２】本発明が適用されたディスク記録再生装置のブロック図である。
【図３】ディスク記録再生装置の録音時の処理の流れを表したフローチャートである。
【図４】ディスク記録再生装置の録音時の処理の流れを表したフローチャートである。
【符号の説明】
【００６４】
１０  ディスク記録再生装置、２１  ドライブ部、２２  オーディオ処理部、２３  バッファメモリ、２４  管理情報メモリ、２５  システムコントローラ
【図１】
2006004526.tif 000003
【図２】
2006004526.tif 000004
【図３】
2006004526.tif 000005
【図４】
2006004526.tif 000006